(57)【要約】【課題】  電源線の挿入が不完全な状態で施工された場合、発熱により端子台の温度ヒューズが溶断した場合に、制御手段の動作状態に関わらず確実にヒータの電流を遮断することにより、端子台の異常発熱を防止し、安全な浴室暖房乾燥機を提供するとともに、使用者に端子台の異常発熱を知らせることを可能とする。【解決手段】  本発明では、端子台の温度上昇を検出して開路する温度検出器を設けるとともに、制御用電源とヒータ駆動手段が温度検出器を介して接続される構成としたことにより、端子台が温度上昇して温度検出器が開路した場合、制御用電源からヒータ駆動手段への電力供給が確実に遮断されるため、例えば、ノイズ等にて制御手段が誤動作や暴走した際においても、ヒータへの通電を停止させることができるため、端子台の異常発熱を確実に防止することができる。【選択図】  図３
2005106392.tif 000002
【特許請求の範囲】
【請求項１】
浴室の空気を過熱するヒータと、前記ヒータに商用電力を供給するための電源線と、前記電源線と商用電源とを接続するための端子台と、前記商用電源とは絶縁され直流電力を供給するための制御用電源と、前記制御用電源に接続され前記ヒータを駆動制御するヒータ駆動手段と、前記ヒータ駆動手段を制御するための制御手段とを備えた浴室暖房乾燥機において、該端子台の温度が所定温度に達した際に回路を開く温度検出器を前記端子台に設けるとともに、前記制御用電源より前記温度検出器を介して前記ヒータ駆動手段へ接続されていることを特徴とする浴室暖房乾燥機。
【請求項２】
請求項１記載の浴室暖房乾燥機において、浴室の空気を循環する循環ファンと、浴室の空気を換気する換気ファンと、前記制御用電源に接続され前記循環ファンを駆動制御する循環ファン駆動手段と、前記制御用電源に接続され前記換気ファンを駆動制御する換気ファン駆動手段を有するとともに、前記制御用電源より前記温度検出器を介して前記循環ファン駆動手段または前記換気ファン駆動手段へ接続されていることを特徴とする浴室暖房乾燥機。
【請求項３】
請求項１記載の浴室暖房乾燥機において、前記温度検出器の開閉を検出する開閉検出手段と、浴室の空気を循環する循環ファンと、浴室の空気を換気する換気ファンと、前記制御用電源に接続され前記循環ファンを駆動制御する循環ファン駆動手段と、前記制御用電源に接続され前記換気ファンを駆動制御する換気ファン駆動手段を有するとともに、前記制御手段は前記開閉検出手段が前記温度検出器の開状態を検出した際に、前記循環ファン駆動手段または前記換気ファン駆動手段への出力を停止することを特徴とする浴室暖房乾燥機。
【請求項４】
請求項１乃至３のいずれか一に記載の浴室暖房乾燥機において、前記温度検出器の開閉を検出する開閉検出手段と、前記浴室暖房乾燥機の運転を操作する運転操作手段と、前記制御手段と前記運転開始手段の間でデータを授受するための通信手段と、前記運転操作手段に設けられ前記浴室暖房乾燥機の運転状態を表示する表示手段を有するとともに、前記制御手段は前記開閉検出手段が前記温度検出器の開状態を検出した際に、前記表示手段に異常内容の表示を行うことを特徴とする浴室暖房乾燥機。
【発明の詳細な説明】
【技術分野】
【０００１】
本発明は、浴室暖房乾燥機に係り、特にヒータなどの大きな電流が流れる端子台の異常発熱対策に関する発明である。
【背景技術】
【０００２】
従来の浴室乾燥暖房機などの電気機器には通常、電源線を接続するための端子台が取り付けられている。この端子台は、例えばＰＢＴ樹脂等で成型される本体と、この本体内に取り付けられた金属端子とから構成されているが、電源線の挿入が不完全な状態で施工された場合、端子台内部に取り付けられた金属端子と電源線が点接続の状態になるため、接触抵抗が増大し、電気機器の負荷電流と増大した接触抵抗により発生するジュール熱にて端子台が発熱する。そこで、端子台に温度ヒューズを備え、端子台における発熱が異常に大きくなると、温度ヒューズを溶断させ、その温度ヒューズの溶断を検出し、電気機器への電源を遮断する構成がとられているものがある（例えば、特許文献１参照）。
【０００３】
このような場合、温度ヒューズの溶断検出及び電気機器への電源遮断命令を制御手段にて行っているため、例えば、ノイズ等にて制御手段が誤動作した際には、確実に電気機器への電源遮断を行うことができず、端子台に電流が流れ続けてしまうため、端子台の異常発熱が継続してしまい、非常に危険な状態になる可能性があるといった問題があった。また、電気機器への電源を遮断するため、使用者はどのような理由で、電源が遮断されたのかを把握することができないといった問題もあった。
【特許文献１】特開平９−２１３３８０号公報（第３頁、第３図）
【発明の開示】
【発明が解決しようとする課題】
【０００４】
本発明は、上記問題を解決するためになされたもので、本発明の課題は、端子台の温度ヒューズが溶断した場合に、制御手段の動作状態に関わらず、確実に負荷の電流を遮断することにより、端子台の異常発熱を防止し、安全な浴室暖房乾燥機を提供するとともに、使用者に端子台の異常発熱を知らせることを可能にするものである。
【課題を解決するための手段】
【０００５】
上記目的を達成するために請求項１記載の発明によれば、浴室の空気を過熱するヒータと、前記ヒータに商用電力を供給するための電源線と、前記電源線と商用電源とを接続するための端子台と、前記商用電源とは絶縁され直流電力を供給するための制御用電源と、前記制御用電源に接続され前記ヒータを駆動制御するヒータ駆動手段と、前記ヒータ駆動手段を制御するための制御手段とを備えた浴室暖房乾燥機において、該端子台の温度が所定温度に達した際に回路を開く温度検出器を前記端子台に設けるとともに、前記制御用電源より前記温度検出器を介して前記ヒータ駆動手段へ接続された構成としたことにより、端子台が温度上昇して温度検出器が開路した場合、制御用電源からヒータ駆動手段への電力供給が確実に遮断されるため、例えば、ノイズ等にて制御手段が誤動作や暴走した際においても、ヒータへの通電を停止させることができるため、端子台の異常発熱を確実に防止することができる。
【０００６】
また、請求項２記載の発明のよれば、請求項１記載の浴室暖房乾燥機において、浴室の空気を循環する循環ファンと、浴室の空気を換気する換気ファンと、前記制御用電源に接続され前記循環ファンを駆動制御する循環ファン駆動手段と、前記制御用電源に接続され前記換気ファンを駆動制御する換気ファン駆動手段を有するとともに、前記制御用電源より前記温度検出器を介して前記循環ファン駆動手段または前記換気ファン駆動手段へ接続されている構成としたことにより、端子台が温度上昇して温度検出器が開路した場合、制御用電源からヒータ駆動手段だけでなく、循環ファン駆動手段、換気ファン駆動手段への電力供給も確実に遮断されるため、例えば、ノイズ等にて制御手段が誤動作や暴走した際においても、ヒータ、循環ファン、換気ファンへの通電を停止させることができるため、端子台の異常発熱をより確実に防止することができる。
【０００７】
また、請求項３記載の発明のよれば、請求項１記載の浴室暖房乾燥機において、前記温度検出器の開閉を検出する開閉検出手段と、浴室の空気を循環する循環ファンと、浴室の空気を換気する換気ファンと、前記制御用電源に接続され前記循環ファンを駆動制御する循環ファン駆動手段と、前記制御用電源に接続され前記換気ファンを駆動制御する換気ファン駆動手段を有するとともに、前記制御手段は前記開閉検出手段が前記温度検出器の開状態を検出した際に、前記循環ファン駆動手段または前記換気ファン駆動手段への出力を停止する構成としたことにより、ヒータ専用の１つの開閉検出手段でヒータのみならず、消費電流の大きい循環ファン、換気ファンへの通電をも停止させることができるため、端子台の異常発熱をより確実に防止することができる。
【０００８】
また、請求項４記載の発明のよれば、請求項１乃至３のいずれか一に記載の浴室暖房乾燥機において、前記温度検出器の開閉を検出する開閉検出手段と、前記浴室暖房乾燥機の運転を操作する運転操作手段と、前記制御手段と前記運転開始手段の間でデータを授受するための通信手段と、前記運転操作手段に設けられ前記浴室暖房乾燥機の運転状態を表示する表示手段を有するとともに、前記制御手段は前記開閉検出手段が前記温度検出器の開状態を検出した際に、前記表示手段に異常内容の表示を行う構成としたことにより、使用者が機器の異常内容を認識できるとともに、対策を施すことが可能となるため、機器の異常使用を未然に防止することができる。
【発明の効果】
【０００９】
本発明によれば、端子台が温度上昇し温度検出器が開路すると、制御電源からヒータ駆動手段への電力供給が確実に遮断されるようにしたため、例えば、ノイズ等にて制御手段が誤動作や暴走した際においても、ヒータへの通電を停止させることができるため、端子台の異常発熱を確実に防止することができるという効果がある。
【発明を実施するための最良の形態】
【００１０】
以下に、本発明の浴室暖房乾燥機の第一の実施形態を説明する。
図１は浴室暖房乾燥機の斜視図である。浴室暖房乾燥機本体１には、箱型のケーシング２の上面に端子台３が取り付けられており、この端子台３を取り囲むように端子台カバー４が取り付けられている。一方、浴室暖房乾燥機本体１の下面側は化粧カバー５が取り付けられている。
図２は浴室暖房乾燥機の平断面図である。略長方形の平面形状を有する箱形のケーシング２内に、頂壁すなわち図２において紙面手前側の外壁から、底壁すなわち図２において紙面後方の外壁に至る内壁６が配設され、循環区画７と換気区画８が画成されている。循環区画７内には循環ファン９が配設されている。図２に示すように、循環ファン９の周囲には、ケーシング２の頂壁から底壁に至る対数螺旋形状の空気案内板１０が配設されている。循環区画７内のケーシング２の底壁には、循環ファン９に対峙して循環用吸気口１１が形成されている。循環用吸気口１１には循環用フィルター１２が配設されている。循環区画７内のケーシングの底壁隅部には、長方形の排気口１３が形成されている。空気案内板１０は、一端が排気口１３の近傍位置まで延び、他端が、前記一端に対峙するケーシングの側壁に接続している。空気案内板１０の前記一端の近傍部と、該一端の近傍部に対峙するケーシング２の側壁とケーシング２の底壁とにより包囲される空間内にヒータ１４が配設されている。換気区画８内には、循環ファン９と同様の構造を有する換気ファン１５が配設されている。内壁６の一部は対数螺旋形状に形成されて、空気案内板１０を構成している。換気区画８内のケーシング２の底壁には、換気ファン１５に対峙して換気用吸気口１６が形成されている。換気用吸気口１６には換気用フィルター１７が配設されている。換気区画８内のケーシング２の側壁に、換気口１８が形成されている。ケーシング２内で且つ循環区画７と換気区画８の外に、制御装置１９が配設されている。
【００１１】
図３は本発明の回路ブロック図である。制御装置１９及びヒータ１４は、電源線２０により、端子台２１に接続するように構成されている。該端子台２１は、電源引込み線２２により商用電源２３に接続されている。
【００１２】
制御装置１９は、制御プログラムが格納されたメモリを含む制御手段２４と、通信手段２５、制御用電源２６、循環ファン駆動手段２７、換気ファン駆動手段２８、ヒータ駆動手段２９とを備えている。制御用電源２６は、商用電源２３とは絶縁された直流電圧を出力する電源である。制御手段２４には運転操作手段３０からの操作信号が入力され、制御手段２４から循環ファン駆動手段２７、換気ファン駆動手段２８、ヒータ駆動手段２９へ制御信号が出力される。
【００１３】
図４は端子台の平面図、図５は図４の端子台のＡ−Ａ断面図、図６は電源線が完全挿入された状態の端子台断面図、図７は電源線が不完全挿入された状態の端子台断面図をそれぞれ示している。端子台２１は、商用電源２３に接続される各電源引込み線２２と、ヒータ１４用及び制御装置１９用の電源線２０に接続するように構成されている。端子台２１は、図４、５に示すように直方体形状の樹脂製の本体６０に、導電性の金属材からなるコネクタ端子６１、６２と、導電性の金属材からなるばね部材６３とを備えている。端子台本体６０は、横方向二つに仕切られる内部空間６４と、内部空間６４にそれぞれ連なる横方向二つの電線挿入用の透孔６５と、電源線抜き出し用のリバースノブ６６とを備えている。コネクタ端子６１、６２は、端子台２１の内部空間６４の仕切られた部屋それぞれに一つずつ組み込まれるもので、帯状に形成されている。端子台２１には、温度ヒューズ６７が固定されている。該温度ヒューズ６７は、端子台２１が所定の温度（例えば、１０３℃）に達すると溶断する遮断手段を構成している。そして、温度ヒューズ６７には、両端にリード線６８が接続され、雄コネクタ６９と接続されている。
【００１４】
図６に示すように、端子台本体６０の透孔６５から電源引込み線２２が所定量以上例えば奥まで完全挿入されると、まず、挿入初期段階において電源引込み線２２がばね部材６３のくさび片７０を奥側へ倒し、挿入の進行とともに傾動片７１と端子台本体６８との間に入り込むようになる。これにより、傾動片７１が端子台２１から若干離れるよう下向きに圧縮されるので、この傾動片７１の弾性復元力で電源引込み線２２が端子台２１に押し付けられて挟持される。一方で、くさび片７０の弾性復元力で電源引込み線２２の途中を上向きに押し付けるので、そのくさび作用により電源引込み線２２が抜け出さないように保持される。この状態で、電源引込み線２２とコネクタ端子６１とがばね部材６３を介して導通される。
【００１５】
しかし、図７に示すように、電源引込み線２２の挿入量が所定量に満たない状態つまり完全挿入されずに、ばね部材６３のくさび片７０を倒しただけの状態、つまり途中までしか挿入されなかった場合であっても、ばね部材６３を介して電源引込み線２２とコネクタ端子６１とがかろうじて導通するようになる。
【００１６】
上述したように、電源引込み線２２が完全挿入状態のときも不完全挿入状態のときも、電源引込み線２２とコネクタ端子６１とが導通するようになっているため、特に不完全挿入状態のとき、電源引込み線２２とばね部材６３とが点接触となり、ここの接触抵抗が増加し、発熱するという不具合が生じる。
【００１７】
図３の本発明の回路ブロック図に示すように、雄コネクタ６９と雌コネクタ３１とが継合され、両コネクタの第一接点７２、３２同士が接触すると共に、第二接点７３、３３同士が接触し、制御用電源２６とヒータ駆動手段２９とが温度ヒューズ６７を介して通電可能に接続されている。つまり、制御用電源２６から供給された電流が雌コネクタ３１の第一接点３２から雄コネクタ６９の第一接点７２へと流れて、温度ヒューズ６７を流れ、雄コネクタ６９の第二接点７３から雌コネクタ３１の第二接点３３へと流れて、ヒータ駆動手段２９に流れるように接続されている。
【００１８】
ここで、浴室暖房乾燥機の作動を乾燥運転を例にとって説明する。使用者が運転操作手段３０の図示しない乾燥スイッチをＯＮすると、循環ファン駆動手段２７、換気ファン駆動手段２８、ヒータ駆動手段２９がＯＮされ、循環ファン９と換気ファン１５が回転し、ヒータ１４が作動する。制御手段２４は、あらかじめ定められた回転数となるように循環ファン９及び換気ファン１５を制御する。この結果、浴室暖房乾燥機は乾燥運転状態となる。回転する循環ファン９から吐出された空気がヒータ１４を経由して高温の温風となり、空気吹出口１３を通って浴室内へ吹き出す。浴室内に吹き出した高温の温風は、物干し用ポールに吊された衣類から水分を奪う。衣類から水分を奪って低温多湿となった温風の一部は、循環用フィルター１２を経由して循環用吸気口１１を通ってケーシング２へ流入し、循環ファン９とヒータ１４を経由して、高温の温風となって浴室へ還流する。衣類から水分を奪って低温多湿となった温風の他の一部は、換気用吸気口１６を通ってケーシング２へ流入し、換気ファン１５と換気口１８とを経由して、排気ダクトへ廃棄される。高温の温風が大風量で浴室へ供給されるので、衣類は高速乾燥される。
【００１９】
上記乾燥運転時において、端子台２１における電源引込み線２２又は電源線２０の接続不良があると、端子間の接触抵抗が増大し、端子台２１が発熱する。そして、端子台２１が昇温して所定温度（例えば、１０３℃）になると、温度ヒューズ６７が溶断して、両コネクタ６９、３１の第一接点７２、３２と第二接点７３、３３との間の通電が遮断され、制御用電源２６とヒータ駆動手段２９との通電が停止する。ヒータ駆動手段２９は、制御用電源２６からの電力の供給が停止すると作動を停止するため、接点が開状態となり、ヒータ１４への通電が遮断される。
【００２０】
ここで、端子台の通電電流と温度上昇との関係は図１０に示され以下のようになる。端子台２１の通電電流が１３Ａと仮定する。このうちヒータ１４に流れる電流は１２Ａとする。端子台２１における電源引込み線２２又は電源線２０の接続が正常な状態であれば、接触抵抗が例えば２ｍΩとなり、端子間における損失は０．３４Ｗ（＝１３Ａ×１３Ａ×２ｍΩ）、温度上昇は７℃となる。一方、端子台２１における電源引込み線２２又は電源線２０の接続不良があると、端子間の接触抵抗が例えば３０ｍΩとなり、端子間における損失は６．７６Ｗ（＝１３Ａ×１３Ａ×３０ｍΩ）、温度上昇は１３９℃となり温度ヒューズ６７の溶断温度１０３℃を超えるため、温度ヒューズ６７は溶断する。
また、循環ファン９、換気ファン１５の通電電流も１Ａ程度は流れるので、ヒータ１４ほどではないが、これも温度上昇に影響する。
【００２１】
上述のように、接続不良により温度ヒューズ６７が溶断すると、両コネクタ６９、３１の第一接点７２、３２と第二接点７３、３３との間の通電が遮断され、制御用電源２６からヒータ駆動手段２９への通電が停止する。ヒータ駆動手段２９は、制御用電源２６からの電力の供給が停止すると作動を停止するため、接点が開状態となり、ヒータ１４への通電が遮断される。これにより、端子台２１に流れる電流は１３Ａからヒータ１４に流れる電流１２Ａを引いた１Ａとなる。ヒータ１４への通電が遮断されることにより、端子台２１の端子間における損失は３０ｍＷ（＝１Ａ×１Ａ×３０ｍΩ）、温度上昇は０．６℃となる。
【００２２】
本第一の実施形態によれば、端子台２１が異常過熱すると、ヒータ駆動手段２９の通電が遮断されるとともに、接点を開状態にするようにしたため、制御手段２４が何らかの原因で正常に動作していない場合においても、ヒータ１４への通電を確実に遮断できるとともに、端子台２１の発熱を確実に止めることができる。よって、安全な浴室暖房乾燥機を提供することができる。
【００２３】
以下に、本発明の浴室暖房乾燥機の第ニの実施の形態を説明する。なお、第一の実施形態と同一部分には同一番号を付し、詳細な説明は省略する。図８は本発明の回路ブロック図である。
【００２４】
本第二の実施形態は、図８に示すように、第一の実施形態と異なり、温度ヒューズ６７の断線検出手段３４を設け、制御手段２４に断線検出手段３４の信号を出力するように構成したものである。
【００２５】
端子台２１における電源引込み線２２又は電源線２０の接続不良があると、端子間の接触抵抗が増大し、端子台２１が発熱する。そして、端子台２１が昇温して所定温度（例えば、１０３℃）になると、温度ヒューズ６７が溶断して、両コネクタ６９、３１の第一接点７２、３２と第二接点７３、３３との間の通電が遮断され、制御用電源２６とヒータ駆動手段２９との通電が停止する。ヒータ駆動手段２９は、制御用電源２６からの電力の供給が停止すると作動を停止するため、接点が開状態となり、ヒータ１４への通電が遮断される。
【００２６】
制御手段２４は、温度ヒューズ６７が溶断すると、開閉検出手段３４の出力により、温度ヒューズ６７が溶断したことを検出し、循環ファン駆動手段２７及び換気ファン駆動手段２８への動作出力を停止し、循環ファン９、換気ファン１５の動作を停止させるとともに、運転操作手段３０に備えられた表示手段３５に異常を表示する。さらに、制御手段２４は、運転操作手段３０からの運転命令を受け付けないようにする。
【００２７】
本第ニの実施形態によれば、端子台２１が異常過熱すると、端子台２１の異常発熱を使用者に対して表示するため、使用者は端子台２１の異常発熱を認識できるととともに、対策を施すことが可能となる。たとえば、運転操作手段３０の表示手段３５に『異常発熱による温度ヒューズ切断』等の異常内容を表示する。また、ヒータ１４だけではなく、循環ファン９、換気ファン１５の運転を停止させることが可能であるため、端子台２１の発熱をより確実に止めることが可能となる。さらには、運転操作パネル３０からの運転命令を受け付けないようにするため、異常状態での運転を防止できる。よって、安全な浴室暖房乾燥機を提供することができる。
【００２８】
第一の実施形態では、端子台２１における電源引込み線２２又は電源線２０の接続不良がある場合の端子間の接触抵抗を３０ｍΩとして説明したが、接触抵抗がさらに大きい場合、例えば１Ωとなった場合は、循環ファン９、換気ファン１５の通電電流１Ａ程度でも、端子間における損失は１Ｗ（＝１Ａ×１Ａ×１Ω）、温度上昇は３０℃となり、これも温度上昇に影響する。よって、ヒータ１４だけでなく、循環ファン９、換気ファン１５の運転を停止させることにより、端子台２１の発熱をより確実に抑えることができる。
【００２９】
その他の構成、作用及び効果は第一の実施形態と同様である。
【００３０】
以下に、本発明の浴室暖房乾燥機の第三の実施の形態を説明する。なお、第一の実施形態及び第二の実施形態と同一部分には同一番号を付し、詳細な説明は省略する。図９は本発明の回路ブロック図である。
【００３１】
本第三の実施形態は、図９に示すように、第ニの実施形態と異なり、雄コネクタ６９と雌コネクタ３１とが継合され、両コネクタの第一接点７２、３２同士が接触すると共に、第二接点７３、３３同士が接触し、制御用電源２６とヒータ駆動手段２９、循環ファン駆動手段２７、換気ファン駆動手段２８とが温度ヒューズ６７を介して通電可能に接続されている。つまり、制御用電源２６から供給された電流が雌コネクタ３１の第一接点３２から雄コネクタ６９の第一接点７２へと流れて、温度ヒューズ６７を流れ、雄コネクタ６９の第二接点７３から雌コネクタ３１の第二接点３３へと流れて、ヒータ駆動手段２９、循環ファン駆動手段２７、換気ファン駆動手段２８に流れるように接続されている。
【００３２】
端子台２１における電源引込み線２２又は電源線２０の接続不良があると、端子間の接触抵抗が増大し、端子台２１が発熱する。そして、端子台２１が昇温して所定温度（例えば、１０３℃）になると、温度ヒューズ６７が溶断して、両コネクタ６９、３１の第一接点７２、３２と第二接点７３、３３との間の通電が遮断され、制御用電源２６とヒータ駆動手段２９、循環ファン駆動手段２７、換気ファン駆動手段２８との通電が停止する。ヒータ駆動手段２９、循環ファン駆動手段２７、換気ファン駆動手段２８は、制御用電源２６からの電力の供給が停止すると作動を停止するため、ヒータ１４、循環ファン９、換気ファン１５それぞれへの通電が遮断される。
【００３３】
制御手段２４は、温度ヒューズ６７が溶断すると、開閉検出手段３４の出力により、温度ヒューズ６７が溶断したことを検出し、運転操作手段３０の表示手段３５に、例えば『異常発熱による温度ヒューズ切断』等の異常内容を表示する。さらに、制御手段２４は、運転操作手段３０からの運転命令を受け付けないようにする。よって、安全な浴室暖房乾燥機を提供することができる。
【００３４】
本第三の実施形態によれば、端子台２１が異常過熱すると、ヒータ駆動手段２９、循環ファン駆動手段２７、換気ファン駆動手段２８の通電を遮断するようにしたため、制御手段２４が何らかの原因で正常に動作していない場合においても、ヒータ１４、循環ファン９、換気ファン１５への通電を確実に遮断できるとともに、端子台２１の発熱を確実に止めることができる。また、端子台２１の異常発熱を使用者に対して表示するため、使用者は端子台２１の異常発熱を認識できるととともに、対策を施すことが可能となる。さらには、運転操作手段３０からの運転命令を受け付けないようにするため、異常状態での運転を防止できる。よって、安全な浴室暖房乾燥機を提供することができる。
【００３５】
その他の構成、作用及び効果は第ニの実施形態と同様である。
【図面の簡単な説明】
【００３６】
【図１】本発明の浴室暖房乾燥機の斜視図である。
【図２】本発明の浴室暖房乾燥機の平断面図である。
【図３】本発明の浴室暖房乾燥機の第一実施形態の回路ブロック図である。
【図４】本発明の端子台の平面図である。
【図５】図４の端子台のＡ−Ａ断面図である。
【図６】電源線が完全挿入された状態の端子台断面図である。
【図７】電源線が不完全挿入された状態の端子台断面図である。
【図８】本発明の浴室暖房乾燥機の第二実施形態の回路ブロック図である。
【図９】本発明の浴室暖房乾燥機の第三実施形態の回路ブロック図である。
【図１０】本発明の端子台の通電電流と温度上昇の関係である。
【符号の説明】
【００３７】
１…浴室暖房乾燥機本体
２…ケーシング
３…端子台
４…端子台カバー
５…化粧カバー
６…内壁
７…循環区間
８…換気区間
９…循環ファン
１０…空気案内板
１１…循環用吸気口
１２…循環用フィルター
１３…排気口
１４…ヒータ
１５…換気ファン
１６…換気用吸気口
１７…換気用フィルター
１８…換気口
１９…制御装置
２０…電源線
２１…端子台
２２…電源引込み線
２３…商用電源
２４…制御手段
２５…通信手段
２６…制御用電源
２７…循環ファン駆動手段
２８…換気ファン駆動手段
２９…ヒータ駆動手段
３０…運転操作手段
３１…雌コネクタ
３２…第一接点
３３…第二接点
３４…開閉検出手段
３５…表示手段
６０…端子台本体
６１、６２…コネクタ端子
６３…ばね部材
６４…内部空間
６５…透孔
６６…リバースノブ
６７…温度ヒューズ
６８…リード線
６９…雄コネクタ
７０…くさび片
７１…傾動片
７２…第一接点
７３…第二接点
【図１】
2005106392.tif 000003
【図２】
2005106392.tif 000004
【図３】
2005106392.tif 000005
【図４】
2005106392.tif 000006
【図５】
2005106392.tif 000007
【図６】
2005106392.tif 000008
【図７】
2005106392.tif 000009
【図８】
2005106392.tif 000010
【図９】
2005106392.tif 000011
【図１０】
2005106392.tif 000012